(57)【要約】【課題】中空外装パネル自身の形状を変更することで、貫通孔内に封入された水分及び空気により注入直後のシーリング材が膨張することで建物の外観を著しく損なうことを確実に防止できることを可能とした、製作が容易で安価であり、シーリング材のふくれを抑制でき、中空外装パネルの施工方法及び施工時期に制限を受けず、シーリング材施工の際に貫通孔の閉塞を防ぐことがより確実にできる中空外装パネル及びその施工方法の提供を目的とする。【解決手段】中空外装パネルの貫通孔が開口する面（目地接合面）の裏面側コーナーを、パネルの全幅にわたり奥行き（裏面側からの深さ）が、１〜５ｍｍ、高さが少なくとも貫通孔に達する階段状にしたことを特徴とするシーリング材ふくれ防止用中空外装パネル及びその製造方法。【選択図】図１
2009108529.tif 000002
【特許請求の範囲】
【請求項１】
中空外装パネルの貫通孔が開口する面（目地接合面）の裏面側コーナーを、パネルの全幅にわたり階段状にしたことを特徴とするシーリング材ふくれ防止用中空外装パネル。
【請求項２】
中空外装パネルの階段状の領域が、奥行き（目地接合面側からの深さ）が、１〜５ｍｍ、高さが少なくとも貫通孔に達するものである請求項１に記載のシーリング材ふくれ防止用中空外装パネル。
【請求項３】
中空外装パネルの貫通孔が開口する面（目地接合面）の裏面側コーナーを、パネルの全幅にわたり階段状に切断することを特徴とするシーリング材ふくれ防止用中空外装パネルを製造する方法。
【請求項４】
中空外装パネルを押し出した直後、パネル上下から回転式鋸で切断するに際し、裏面側の回転式鋸の切断箇所を、階段状にする幅だけ目地接合面側より狭くすることからなる請求項３に記載の中空外装パネルを製造する方法。
【請求項５】
請求項１または２に記載のシーリング材ふくれ防止中空外装パネルを用いた目地構造の施工方法であって、中空外装パネルの目地接合面の間に、バックアップ材または下辺部が留め金具（ハット型ジョイナー）と一体化されたバックアップ材を挟持した後、両側の中空外装パネルの間の目地の上部空間にシーリング材を圧入し、シーリング材の表面を平滑にすることを特徴とする中空外装パネルの目地施工方法。
【発明の詳細な説明】
【技術分野】
【０００１】
本発明は長手方向に平行な貫通孔を有する建築用中空外装パネルを横張りまたは縦張り（以下説明の簡単のため「横張り」について説明するが、縦張りであっても有効に適用できることは言うまでもない。）して外壁を構成する際、隣接する中空外装パネルの端面間に形成される目地部へシーリング材を後施工したとき、硬化するまでの間にシーリング材が内部の空気の膨張によりふくれたり、あるいは温度低下による収縮により吸い込みより凹んだり（本発明においては「ふくれ」及び「凹み」の両者を、一括して「ふくれ」と表現する。）するのを抑制することができる中空外装パネル及びその施工方法に関する。
【背景技術】
【０００２】
住宅などの建物の外壁を、窯業系パネル、例えば乾式の中空外装パネル［例えば「ラムダサイディング（登録商標）」］で構成しようとする場合、通常規格寸法のパネルを横張り（貫通孔が水平となる。）して接合し、長手方向（横方向）は目地接合面部（貫通孔が開口する面）同士を突き合わせた状態で接合される。この場合、中空外装パネルは日光や気温の変化に影響される伸縮や経年あるいは地震などによる寸法変化を考慮して、左右の中空外装パネル目地接合面部の間には１０ｍｍ程度の隙間（縦目地部）を設けて留め付けるのが普通であり、該縦目地部は雨水が浸入するのを防ぐために、通常弾性を有する、常温硬化性のシーリング材を充填することが行われる。
シーリング材としては、変成シリコーン系、ポリサルファイド系、ポリウレタン系、アクリル系、ブチルゴム系などの材料が多く用いられており、施工後の建築板の伸縮による隙間（目地幅）の変化をシーリング材の弾性変形により吸収して追従し、シーリング材の切れや剥離などにより縦目地の密封破壊が生じるのを防止している。
【０００３】
該縦目地部に充填されるシーリング材は、縦目地に充填された状態において左右両側に配される中空外装パネルの表面側の目地接合面（相対する接着面）のみが接着状態となり、それ以外の接触面は接触した状態であっても非接着の状態に保持されることで当該中空外装パネルの伸縮に対して高い追従性を示す様にする。
上記の為に縦目地（左右両側に配される中空外装パネルの間）の裏側にバックアップ材またはハット型ジョイナーと一体化されたバックアップ材をセットし、バックアップ材の凸部分と両側の中空外装パネルで形成される目地空間に、表面側からシーリング材を注入して目地を封止する。
【０００４】
この場合、封止には縦目地部にシーリング材を充填し、へらなどで押さえて両側の中空外装パネルの間の目地を気密性、水密性のあるシールとすることが必要である。シーリング材は施工した後、１〜２日で溶剤の揮発、材料の重合反応の進行などにより弾力性のある硬質の物質になるが、施工時は極めて軟質であって流動性があり、僅かの圧力変動にも容易に変形する。
【０００５】
シーリング剤施工に際し、貫通孔を封止したときは、空気がパネル貫通孔内部に封入される。この貫通孔内に封入された水分及び空気は、気温の上昇や日射による中空外装パネルの温度上昇に伴って気化及び膨張し、未硬化の軟質のシーリング材を押出して縦目地の表面側に膨れだし、建築物の外観上の欠点になったり、時にはシーリング材を内部より押し破って吹き出し、目地の防水機能を喪失せしめる危険がある。一方、施工時期に比して夜間など外気の温度が低下するときは貫通孔内にシーリング剤を吸い込み、凹みを生ずることもある。このいずれの場合も建築物の外観上の欠点となるのでこれの発生がない条件での施工が要求される。
このためシーリング材の施工は温度変化の少ない時間帯にすることが要求されていた。単なるシーリング材の膨れであっても外観上建物の商品価値を著しく減殺してしまうし、一旦シール材が穴などが出来たときは、水密性が失われて商品価値を失わせる。
【０００６】
多くの場合、目地の施工に際しシーリング材は中空外装パネルの貫通孔の中にまで押し込まれ易く、貫通孔を完全に封止してしまい、空気の脱出径路を閉鎖する危険が高いので、これを避けなければならない。従って、貫通孔内の空気の脱出径路の封止をせずに、目地部分は水密性と気密を確保するため、中空外装パネルの目地施工は高度の技能、経験を必要とする作業となっている。
貫通孔の空気脱出径路の、シーリング剤による閉塞防止法として、パネル側の対応として、中空外装パネルの貫通孔の形状の変更、例えばひょうたん型にするとか２段式にする方法などの幾つかの提案がなされている。
【０００７】
しかし、かかる変更はパネルの重量の増加による重い外装パネルの施工とともにコストアップなどが避けられず、さらなる検討が必要となっていた。中空外装パネルの形状とシーリング材の打ち込み深さの一定を担保するためのバックアップ材は、中空外装パネルの形状や寸法との相互関係において、デザインの違いでそれぞれの対応が必要となり、専用のバックアップ材を作らないと効果が発揮できない場合も多く、完全な解決を与えていなかった。
この為、中空外装パネルの形状や寸法に変化の対応策として、バックアップ材の凸部表面に目地幅より広幅の、両端面が房状のシートを貼付した中空外装パネル縦目地バックアップ材を使用する提案（特許文献１）がなされている。
【０００８】
また中空外装パネル用の縦目地用バックアップ材として、ハット型ジョイナーの凸条の上に、全体の高さがパネル貫通孔の１／４〜３／４であって、且つ貫通孔に対応する部分の幅が目地幅より０．５〜６ｍｍ広く、パネル板材部に対応する部分の幅が目地幅と同じないし−５ｍｍの軟質弾性体を貼付した縦目地バックアップ材、あるいは高さがパネル貫通孔の１／４〜３／４まであり、貫通孔に対応する部分の幅が目地幅より０．５〜６ｍｍ広く、パネル板材部から以下の部分に対応する部分の幅が目地幅と同じないし−５ｍｍとした軟質弾性体であるふくれ防止縦目地バックアップ材の提案（特許文献２）がなされている。
【０００９】
特許文献１提案の縦目地ジョイナーは、通常行われる該端面房状シートの上面からパネルを差し込むパネル取附においては、端面房状にしたシートはパネルの下面になって貫通孔をカバーすることが出来ず、シーリング材は中空外装パネルの貫通孔の中にまで押し込まれ、貫通孔の両端部を封止してしまうことがあり、このため施工方法に制限あり、また端面房状シートの作製、ハットバックアップ材への貼付など、縦目地バックアップ材作製面においてもコストダウンが困難なことが多かった。
【００１０】
特許文献２提案のふくれ防止ジョイナーを使用するバックアップ材は、特許文献１のバックアップ材より形状が単純なため、加工がし易く廉価であるが、通常のバックアップ材はさらに単純であって廉価である。このため中空外装パネル工事に特許文献２に記載のバックアップ材を使用すると工事費の上昇が避けられず、普及のネックとなっていた。また、表面意匠のある中空外装パネルでは、その形状に合致したバックアップ材を準備する必要があり、特許文献１及び２ともに少量多品種の表面意匠のある外装中空パネルに合致した形状を作ることは困難で、非常に高価となり表面意匠のある中空外装パネルに対し、特許文献１及び２に記載のふくれ防止ジョイナーの対応はまだ解決しておらずさらなる改善が必要であった。
【００１１】
【特許文献１】特開２００４−８４２００号公報
【特許文献２】特開２００６−０７０６００号公報
【発明の開示】
【発明が解決しようとする課題】
【００１２】
本発明は、これまでの中空外装パネルの形状に合わせたサイズ及びそれに合わせた形状のバックアップ材を準備するのではなく、中空外装パネル自身の形状を変更することにより、既存のバックアップ材またはハット型ジョイナーと一体化されたバックアップ材の使用であっても貫通孔の閉塞を防ぐことがより確実にできる中空外装パネルを開発することにより成功した。これは、製作が容易で安価であり、シーリング材のふくれを抑制できるため、中空外装パネルの施工方法及び施工時期に制限を受けず、現在一般に使用されている通常の目地用バックアップ材が使え、さらに気温の上昇などにより貫通孔内に封入された水分及び空気が気化及び膨張して注入直後のシーリング材を内部から押し上げ膨らませるたり、気温の低下による吸い込みによる凹みにより建物の外観を著しく損なうことを確実に防止できることを可能とした、中空外装パネル及びその施工方法の提供を目的とする。
【課題を解決するための手段】
【００１３】
本発明は、
［１］  中空外装パネルの貫通孔が開口する面（目地接合面）の裏面側コーナーを、パネルの全幅にわたり階段状にしたことを特徴とするシーリング材ふくれ防止用中空外装パネル。
［２］  中空外装パネルの階段状の領域が、奥行き（目地接合面側からの深さ）が、１〜５ｍｍ、高さが少なくとも貫通孔に達するものである上記［１］に記載のシーリング材ふくれ防止用中空外装パネル、
【００１４】
［３］  中空外装パネルの貫通孔が開口する面（目地接合面）の裏面側コーナーを、パネルの全幅にわたり階段状に切断することを特徴とするシーリング材ふくれ防止用中空外装パネルを製造する方法、
［４］  中空外装パネルを押し出した直後、パネル上下から回転式鋸で切断するに際し、裏面側の回転式鋸の切断箇所を、階段状にする幅だけ目地接合面側より狭くすることからなる上記［３］に記載の中空外装パネルを製造する方法、及び
【００１５】
［５］  上記［１］または［２］に記載のシーリング材ふくれ防止中空外装パネルを用いた目地構造の施工方法であって、中空外装パネルの目地接合面の間に、バックアップ材または下辺部が留め金具（ハット型ジョイナー）と一体化されたバックアップ材を挟持した後、両側の中空外装パネルの間の目地の上部空間にシーリング材を圧入し、シーリング材の表面を平滑にすることを特徴とする中空外装パネルの目地施工方法、を開発することにより上記の課題を解決した。
【発明の効果】
【００１６】
中空外装パネルの目地のシーリング材による貫通孔の閉塞防止の対応として、従来は、バックアップ材のサイズ、形状をそれぞれの中空外装パネルに合わせていたのに対し、本発明ではバックアップ材はそのままで、中空外装パネル裏面側の形状をパネル全幅にわたり階段状に削った形に変更することで、シーリング材による貫通孔の閉塞防止ができることである。
本発明の中空外装パネルは、貫通孔が開口する面（目地接合面）の裏面側コーナーに、パネルの全幅にわたり階段状にパネルを削り落とした中空外装パネルであって、製造が容易であり、コストも安いだけでなく、目地施工において従来使用されているジョイナーやバックアップ材をそのまま使用することが可能であって、その場合においても、外気と貫通孔内を連絡する通気径路が確保され、シーリング材による貫通孔の封止をより確実に防止することが可能となった。この結果従来シーリング材のふくれまたは吸い込みを避けるために制限を受けていた施工時期の制限を大幅に縮小し、原則的にいつでも施工可能としたことの効果を有する。
【発明を実施するための最良の形態】
【００１７】
本発明において中空外装パネルとは、セメント系（窯業系）材料を押出法により製造された、図１に示すように長手方向に平行な貫通孔３を有する住宅等に用いられるの中空外装パネルで、全体としての厚さが約１５ｍｍ以上、長さが約２〜３ｍの板状のパネル１であり、長手方向に平行な上下にある端辺は結合可能な形状を有しているものが多い。この中空外装パネル１は、縦、横方向に複数枚並べて（端辺を結合させて）外装材とし、建物下地面に直接又は留め金具などにより浮かし張りなどにより固定される。
【００１８】
中空外装パネル１は、横張り（前記したように横張りをもって代表して説明する。）したとき長手方向は、外装パネル１の気温や太陽熱による温度変化による伸縮を考慮して目地構造８を取る必要がある。これは外装パネルの長さにも依るが、外装パネル１の温度変化による伸縮とシーリング材１０の弾力性を考慮して縦目地幅Ｅは通常幅１０ｍｍ×深さ１０ｍｍ程度は必要とされているが、幅１０ｍｍ×深さ７ｍｍ位の縦目地も存在する。
この縦目地には、通常裏面からハットバックアップ材を裏打ち材として使用し、表面側からシーリング材１０が目地に充?される。この場合シーリング材の表面をへらなどで押さえて目地の気密性、水密性を確保し、表面を平滑な面として商品価値を高める必要がある。
【００１９】
本発明は、上記の目的を達成するため、中空外装パネル１の貫通孔３が開口する面（目地接合面）の裏面側コーナーを、パネルの全幅にわたり階段状にした段差２を設けることにより達成した。この結果シーリング材１０を目地８に充?したときに貫通孔３の方に流れることは防止できないが、貫通孔３に流入したとしても、貫通孔３からパネル全幅にわたって設けられた段差２により形成される外気に向けての流通路をより確実に確保することが可能となった。
【００２０】
この階段状にする段差２のサイズは、パネル１の厚さ、特にパネル裏面側から貫通孔３までの厚さにより変わるが、少なくとも貫通孔３までに達することが必要であり、これによってこの欠落部分（段差２）から貫通孔３内の空気が外気に流出する通路を確保できることが必要である。貫通孔３内からの空気は、中空外装パネル１の熱変化により出入するもので、その出入する量は少量であっても、この流通路を形成することが必要である。そして欠落部分（段差２）は貫通孔３内の空気が外気に流出する通路が確保できればよく、そのサイズの上限は中空外装パネル１としての外観、性能などを考慮して決めればよい。
【００２１】
この押出法による中空外装パネル１は、この貫通孔３が開口する面（目地接合面）の裏面側コーナーの全幅にわたり階段状に段差を形成するには、押出機に設けられるパネル上下から切断する回転式鋸の、パネル裏面側の回転式鋸を段差の幅だけ内側（パネルの長さを短くする方向）にすることにより、パネルの両側に階段状にした中空外装パネルを容易に製造することができる。このように中空外装パネル１の両側（パネル裏面で貫通孔３が開口する面）に欠落部分（段差２）を有するときは、現場において施工の必要性からパネルの長さを調節するために切断をした場合においても、少なくとも一方には必ず欠落部分（段差２）が存在することになるため、少なくともパネルの一端部には貫通孔と外気の流通経路を確保できることになる。
中空外装パネルは現場切断されると、階段状の部分が切断されるがパネルの片側の階段状が残り、ふくれ防止機能は損なわれない。またさらに短く切断し使用される場合はパネルの両側の階段状が切断されるが、短く切られたパネル貫通孔の体積は少なく、ふくれる可能性は非常に低いことが確認された。
【００２２】
なお本発明の中空外装パネル１は、通常使用されているバックアップ材（図２または図３）だけでなく、前記特許文献２に記載のハットバックアップ材の凸条部に貼付タイプ材を貼付した中空外装パネル縦目地バックアップ材あるいはハットバックアップ材のない独立タイプ材である縦目地バックアップ材（図４）と併用することができ、これにより中空外装パネルの貫通孔内にシーリング材の侵入は完全に防止することはできないが、軟質弾性体（バックアップ材）の貫通孔対応部分が貫通孔に入り込んでも欠落部分があるため貫通孔は完全に封止されることはなく空隙部が残ることになり、中空外装パネルの温度の上昇などがあっても貫通孔内からの膨張空気の逃げ道があるため、シーリング材が未硬化の状態であってもシーリング材の膨れることあるいは吹き出すことは完全に防止できる。
【００２３】
本発明の中空外装パネル１を使用した横張り目地構造によれば、パネルの欠落部分（段差２）と貫通孔３及び縦目地バックアップ材１の間に空気の流通可能な通路が形成され、また目地８内部には中空外装パネル１の欠落部（段差２）と縦目地バックアップ材６との間に目地部２の上下方向に貫通して縦方向の空気通路が形成されるので、これら空気通路と中空外装パネル１の貫通孔３とは連通し、全ての貫通孔３内の空気は容易に外気との通気が可能となり、温度の変化により貫通孔３内の空気が膨張しても、この空気通路により施工初期の軟質のシーリング材１０を押し上げて膨れることは確実に防止できる。
【００２４】
本発明の中空外装パネルは、シーリング材の充填に熟練度の低い作業員であってもシーリング材８の貫通孔３への押し込みによる閉塞をさほど顧慮する必要がなく、シーリング材表面を平滑にするだけでよいので、容易に気密性、水密性の高い施工をすることができ、施工性、効果の安定性に富む中空外装パネル縦目地バックアップ材である。
【産業上の利用可能性】
【００２５】
本発明の中空外装パネルは、シーリング材施工においてパネルの貫通孔を完全に封止することなく、外気との空気通路を確実に確保できるため、気温の上昇などにより気化した水分及び膨張した空気が注入直後のシーリング材を内部から押し上げ、膨らませることにより建物の外観を著しく損なうことを確実に防止することを可能としたものである。このため中空外装パネルの施工時期に制限を受けることがない。更に該中空外装パネルは製造が容易であり、コストも安いだけでなく、従来のバックアップ材を使用できるので、大幅にコストダウンが可能となるだけでなく、使用した住宅の価値を高めるものである。
【図面の簡単な説明】
【００２６】
【図１】本発明の中空外装パネルの斜視図。
【図２】本発明の中空外装パネルに従来のバックアップ材を用いた、シーリング材注入前の断面図。
【図３】本発明の中空外装パネルに従来のバックアップ材を用いたて、シーリング材注入した後の断面図。
【図４】本発明の中空外装パネルに、バックアップ材（特許文献２記載のパッカー単材）を使用し、シーリング材注入した後の断面図。
【符号の説明】
【００２７】
１：中空外装パネル
２：階段状にした段差
３：貫通孔
４：パネル表面
５：パネル裏面
６：バックアップ材
７：ジョイナー
８：目地
１０：シーリング材
Ｅ：縦目地幅
【図１】
2009108529.tif 000003
【図２】
2009108529.tif 000004
【図３】
2009108529.tif 000005
【図４】
2009108529.tif 000006